(57)【要約】【課題】  反りの発生を防止することができる薄畳を提供する。【解決手段】  厚みが１５mm以下の薄畳１０は、上から下へ順に、保護紙１１，上側のプラスチック段ボール板１２，インシュレーションボード１３，下側のプラスチック段ボール板１４及び裏シート１６が積層された畳床２０を備えている。畳床２０は、その長手方向に沿って畳用ミシン等を用いて複数列に縫い付けられる畳糸２４によって縫製結合されている。畳床２０の表面には、畳表２２が積層されている。裏シート１６により、畳床２０の裏面側に対して反り防止が図られる。【選択図】        図２
0003107454.tif 000002
【実用新案登録請求の範囲】
【請求項１】
厚みが３０mm以下の薄畳において、畳床の裏面側に対して薄畳の反り防止用の裏シートを積層したことを特徴とする薄畳。
【請求項２】
前記裏シートは合成樹脂製シートであることを特徴とする請求項１に記載の薄畳。
【請求項３】
前記畳床の裏面側の相対する両端下縁に、畳表の縁部を没入する切欠を設け、前記畳表の縁部を、前記畳床の裏面側に巻き返すとともに、該畳表の縁部を畳床の前記切欠に没入したことを特徴とする請求項１又は請求項２に記載の薄畳。
【請求項４】
前記裏シートは、畳床の裏面に縫着されていることを特徴とする請求項１に記載の薄畳。
【請求項５】
前記切欠内に没入された畳表の縁部を、前記裏シートとともに、畳床に対して固定したことを特徴とする請求項３に記載の薄畳。
【考案の詳細な説明】
【技術分野】
【０００１】
本考案は、家屋の板敷き床や、座敷等に設置して使用する薄畳に関する。
【背景技術】
【０００２】
従来から、畳の風合いは人気が高く、家庭の板敷き床等又は展示場や旅館の大広間等に置き畳を設置したり、建物の一室の床面に敷き込み畳を敷き詰めて和室を形成したりすることが行われている。このような置き畳又は敷き込み畳の畳床として適用されるものは、通常、日本工業規格(ＪＩＳＡ ５９１４)により寸法形状が定められた建材畳床である。
【０００３】
又、芯材としての天然藁を束ねた従来式の建材畳床を、気密性が高い鉄筋コンクリート造の建物に長期間設置すると、芯材に湿気が滞留してダニ等の害虫が繁殖する原因となるため、吸湿が起こらない合成樹脂板からなる芯材を有するものも、近年は広く普及している。
【０００４】
前記建材畳床の厚み寸法は５〜６cm程度を有しているため、例えば、板敷き床を施した居間等に隣接する和室に敷き込んだ場合には、板敷き床の表面と畳表との間に５〜６cmの段差が生じることになる。このため、板敷き床と和室の境界に沿って設ける敷居又は上がり框の厚み寸法を５〜６cmに設定する必要があり、これらの敷居又は上がり框が脚の不自由な高齢者や身体障害者等にとって歩行の障害になる。
【０００５】
そこで、芯材を薄くして建材畳床の全体の厚み寸法を抑えることが薄畳が提案されている。なお、薄畳は、建材畳床の厚み寸法が３０mm以下のものをいう。このような薄畳は、厚みが薄いため、バリアフリーの要望に応えることができ、床暖房の際にも、厚みが薄いため、床からの熱を効率的に畳表まで伝達することができる。
【考案の開示】
【考案が解決しようとする課題】
【０００６】
しかし、このような薄畳の建材畳床は撓剛性が低く、一方、畳床に対しては、畳表が張った状態で、畳床の端部に縫着されるている。このため、畳表を押圧すると、図５（ａ）の状態から、図５（ｂ）に示すように薄畳１００に反りが発生し、長期間使用するに伴って反りが大きくなり、外観の見栄えが悪くなるばかりか、畳縁部が上方に突き上がり、歩行の障害になるという問題があった。
【０００７】
本考案の目的は、反りの発生を防止することができる薄畳を提供することにある。
【課題を解決するための手段】
【０００８】
上記問題点を解決するために、請求項１の考案は、厚みが３０mm以下の薄畳において、畳床の裏面側に対して薄畳の反り防止用の裏シートを積層したことを特徴とする薄畳を要旨とするものである。
【０００９】
請求項２の考案は、請求項１において、前記裏シートは合成樹脂製シートであることを特徴とする。
請求項３の考案は、請求項１又は請求項２において、前記畳床の裏面側の相対する両端下縁に、畳表の縁部を没入する切欠を設け、前記畳表の縁部を、前記畳床の裏面側に巻き返すとともに、該畳表の縁部を畳床の前記切欠に没入したことを特徴とする。
【００１０】
請求項４の考案は、請求項１乃至請求項３のうちいずれか１項において、前記裏シートは、畳床の裏面に縫着されていることを特徴とする。
請求項５の考案は、請求項３において、前記切欠内に没入された畳表の縁部を、前記裏シートとともに、畳床に対して固定したことを特徴とする。
【考案の効果】
【００１１】
請求項１の考案によれば、畳表は畳床に対して張った状態で縫着されているため、薄畳が、表側に反ろうとするが、畳床の裏面に積層された裏シートによりその反りを抑制できる。
【００１２】
請求項２の考案は、合成樹脂製シートにより、請求項１の考案の効果を容易に実現することができる。
請求項３の考案によれば、畳床の裏面側の相対する両端下縁に切欠内に、畳表の縁部を切欠内に没入させているため、薄畳の端縁付近を人間が載る等をして繰り返して押圧しても、薄畳の表面側に凸状に盛り上がることがない。
【００１３】
請求項４の考案によれば、裏シートは、畳床の裏面に縫着されていることにより、堅固に畳床に固着されているため、請求項１の考案の効果を容易に実現することができる。
請求項５の考案によれば、切欠内に没入された畳表の縁部が、裏シートとともに、畳床に対して固定されていることにより、裏シートが切欠内に配置されて固定され、切欠に対応した部位も含めて薄畳の反りを抑制できる。
【考案を実施するための最良の形態】
【００１４】
以下、本考案を、具体化した一実施形態を図１〜図３に従って説明する。
薄畳１０は、上から下へ順に、保護紙１１，上側のプラスチック段ボール板１２，インシュレーションボード１３，下側のプラスチック段ボール板１４及び裏シート１６が積層された畳床２０を備えている。畳床２０の表面には、畳表２２が積層されている。薄畳１０の厚みは、本実施形態では、１５mmとされている。なお、薄畳１０の厚みは、２５mm，２０mmや、或いはそれ以下の厚みであってもよい。
【００１５】
前記畳床２０は、その長手方向に沿って畳用ミシン等を用いて複数列に縫い付けられる畳糸２４によって縫製結合されている（図１参照）。前記保護紙１１は、畳床２０の端部における前記畳表２２とプラスチック段ボール板１２との間の摩擦を低減化し、畳表２２の擦り切れを防止するものである。前記保護紙１１としては、炭酸カルシウム含有紙又は押出し発泡ポリスチレンペーパ等を挙げることができる。
【００１６】
前記プラスチック段ボール板１２，１４は、波形状に形成した合成樹脂製中芯の片面又は両面に合成樹脂製ライナを貼付けてなる独立密閉空気室を有する圧縮強度の比較的高い板材から構成されている。しかし、この構成に限定するものではなく、市販のものであれどのようなものでも良い。前記インシュレーションボード１３としては、撓剛性が建材畳床（ＪＩＳ Ａ５９１４）と同等以上の強度を有する板材であればよい。前記裏シート１６は、ポリプロピレン製のシート材等の合成樹脂製シートが挙げられる。この裏シート１６により、薄畳１０の反り防止が図られる。
【００１７】
本実施形態では、畳床２０から前記保護紙１１及び裏シート１６を省いたもの（上側のプラスチック段ボール板１２，インシュレーションボード１３，下側のプラスチック段ボール板１４）が、薄畳用芯材として構成されている。
【００１８】
畳床２０の相対する両端下縁には、該下縁に沿って前記畳表２２の縁部２２ａを没入する切欠１７が形成されている。前記裏シート１６は、図１、図２に示すように切欠１７内に位置するように、その端部が延出されている。畳表２２は、その両縁部２２ａが前記畳床２０の裏面側に巻き返されるとともに、切欠１７の内側に畳糸２５により、縫着されている（図３参照）。すなわち、切欠１７内に没入された畳表２２の縁部２２ａは、切欠１７に配置された裏シート１６とともに、畳床２０に対して固定されている。
【００１９】
なお、縁部２２ａは切欠１７の内側に対して、接着剤あるいは接着テープ，ステープル等を用いて固着してもよい。前記切欠１７は、本実施形態では、図２に示すように、前記下側のプラスチック段ボール板１４の端部を内方へ例えば３０mmになるように形成されている。なお、切欠１７は、１０〜４０mmの範囲で切り欠くことにより形成してもよい。切欠１７は前記畳表２２の縁部２２ａを折り返さない場合には、その縁部２２ａの厚みに応じて厚み方向の切込みを浅くし、前記縁部２２ａを２重又は３重に折り返す場合には、折り返して形成される厚みに応じて厚み方向の切込みを深くすることにより、前記畳表２２の両縁部２２ａが前記畳床２０の下方へ突出するのを防止するのが好ましい。この結果、両縁部２２ａの折り返しによる厚み段差を低くすることができる。
【００２０】
さて、本実施形態によれば、以下のような特徴がある。
（１）  本実施形態では、厚みが１５mmの薄畳１０において、畳床２０の裏面側に対して薄畳１０の反り防止用の裏シート１６を積層した。ここで畳表２２は、畳床２０に対して張った状態で縫着されているため、薄畳１０が、表側に反ろうとするが、畳床２０の裏面に積層された裏シート１６によりその反りを抑制できる。
【００２１】
（２）  又、本実施形態では、畳床２０の裏面側の相対する両端下縁に、畳表２２の縁部を没入する切欠１７を設け、畳表２２の縁部２２ａを、畳床２０の裏面側に巻き返すとともに、畳表２２の縁部２２ａを畳床２０の切欠１７に没入するようにした。
【００２２】
従来は、建材畳床は、図４に示すように、畳床１００の表面側に畳表１０２を積層し、畳床１００の裏面側に前記畳表１０２の縁部１０３を巻き返すようにしている。このため、上述のように畳床１００を薄肉化した場合に、両端縁付近を人間が載る等して繰り返し押圧すると、前記畳表１０２の縁部１０３が前記畳床１００を相対的に押し上げられることになる。この結果、畳床１００の表面側が凸状に盛り上がって框段差Ｋが生じ、外観の見栄えを損なう上に歩行の障害になるという問題が起こる。特に、畳表１０２の縁部１０３の厚みが同じであっても、従来の畳よりも薄畳の方がはるかに影響を受け易く、段差が生じ易い。
【００２３】
これに対して、本実施形態では、切欠１７内に、畳表２２の縁部２２ａが没するため、畳床２０の表面側が凸状に盛り上がることはなく、外観の見栄えを損なう上に歩行の障害になるという問題は生じない。
【００２４】
（３）  本実施形態では、裏シート１６は、畳床２０の裏面に縫着されていることにより、堅固に畳床２０に固着されているため、上記（１）の効果を容易に実現することができる。
【００２５】
（４）  本実施形態では、切欠１７内に没入された畳表２２の縁部２２ａが、裏シート１６とともに、畳床２０に対して固定した。このことにより、裏シート１６が切欠１７内に配置されて固定され、切欠１７に対応した部位も含めて薄畳１０の反りを抑制できる。
【００２６】
なお、本考案は前記実施形態に限定するものではなく下記のように変更してもよい。
○  前記実施形態では、畳床２０から前記保護紙１１及び裏シート１６を省いたもの（上側のプラスチック段ボール板１２，インシュレーションボード１３，下側のプラスチック段ボール板１４）が、薄畳用芯材として構成されている。この代わりに、この薄畳用芯材として、インシュレーションボード１３（ＪＩＳ  Ａ  ５９０５），プラスチック段ボール板１２，１４及び発泡ウレタンや発泡ポリスチレン等を板状に成型してなる合成樹脂発泡体のいずれか１つ、或いは、インシュレーションボード１３，プラスチック段ボール板１２，１４及び合成樹脂発泡体の内の２つ以上を積層したものでもよい。
【図面の簡単な説明】
【００２７】
【図１】本発明を具体化した一実施形態の薄畳の畳床の裏面側から見た一部切欠斜視図。
【図２】同じく薄畳の断面図。
【図３】同じく薄畳の裏面側から見た斜視図。
【図４】建材畳床の一般的な構成の端部断面図。
【図５】（ａ）は、薄畳の反る前の状態を示す概略斜視図、（ｂ）は、薄畳の反った状態の概略側面図。
【符号の説明】
【００２８】
１０…薄畳
１６…裏シート
１７…切欠
２０…畳床
２２…畳表
２２ａ…縁部
【図１】
0003107454.tif 000003
【図２】
0003107454.tif 000004
【図３】
0003107454.tif 000005
【図４】
0003107454.tif 000006
【図５】
0003107454.tif 000007